(57)【要約】【課題】携帯電子機器用卓上充電器において、飲料水などの液体を充電中の携帯電子機器にこぼした場合でも、携帯電子機器と充電器との隙間に液体が溜まるのを防止して充電端子のショートや腐食を防止する。【解決手段】卓上充電器１０に携帯電話機１（携帯電子機器）の背面５ｃ側が載置される載置面１１を設け、この載置面１１から、携帯電話機１の側面に係合して携帯電話機１を保持する複数の係止爪を突出させると共に、携帯電話機１の側面５ｂに設けた充電端子８に接続される接続端子１９を内蔵する接続部１８を膨出させる。接続部１８における接続端子１９側の上側表面１８ａに突起部２３を形成し、携帯電話機１における充電端子８の周辺表面と、接続部１８の上側表面１８ａとの間に隙間Ｃ１をあける。【選択図】図５
2009183118.tif 000002
【特許請求の範囲】
【請求項１】
充電池が内蔵された携帯電子機器を保持して充電する携帯電子機器用卓上充電器において、
上記携帯電子機器の背面側が載置される載置面と、
上記載置面から突出し、携帯電子機器の側面に係合して該携帯電子機器を保持する複数の係止爪と、
上記載置面から膨出し、上記携帯電子機器の側面に設けた充電端子に接続される接続端子を内蔵する接続部とを備え、
上記接続部における上記接続端子側の表面には、上記携帯電子機器における上記充電端子の周辺表面と、該接続部の表面との間に隙間を形成するための突起部が形成されている
ことを特徴とする携帯電子機器用卓上充電器。
【請求項２】
請求項１に記載の携帯電子機器用卓上充電器において、
上記突起部は、上記接続端子の両側を囲むように形成されている
ことを特徴とする携帯電子機器用卓上充電器。
【請求項３】
請求項１又は２に記載の携帯電子機器用卓上充電器において、
上記載置面は横長の略矩形状であり、上記接続部は該載置面の幅方向の一端側に設けられている
ことを特徴とする携帯電子機器用卓上充電器。
【請求項４】
請求項３に記載の携帯電子機器用卓上充電器において、
背面側に上記載置面を横長状態で斜めに起立させるための折り畳み可能な脚部が設けられている
ことを特徴とする携帯電子機器用卓上充電器。
【請求項５】
請求項４に記載の携帯電子機器用卓上充電器において、
上記接続部は、上記載置面を傾斜させた状態で下側に位置するように設けられている
ことを特徴とする携帯電子機器用卓上充電器。
【請求項６】
請求項５に記載の携帯電子機器用卓上充電器において、
上記接続部における接続端子近傍の表面と上記載置面とで形成される隅角部には、排水用の貫通孔が設けられている
ことを特徴とする携帯電子機器用卓上充電器。
【請求項７】
請求項６に記載の携帯電子機器用卓上充電器において、
上記排水用の貫通孔は、上記接続端子の真下に設けられている
ことを特徴とする携帯電子機器用卓上充電器。
【請求項８】
請求項４乃至７のいずれか１つに記載の携帯電子機器用卓上充電器において、
上記載置面には、上記携帯電子機器の背面に当接して該背面と載置面との間に隙間を形成するクッションが設けられている
ことを特徴とする携帯電子機器用卓上充電器。
【発明の詳細な説明】
【技術分野】
【０００１】
本発明は、携帯電子機器の卓上充電器に関し、特に充電中に液体を被った場合に携帯電子機器に与える悪影響を最小にする技術に関する。
【背景技術】
【０００２】
従来より、携帯電子機器、特に携帯電話機は、充電池を動力源として外出時に携帯され、充電量が少なくなれば、家庭用のコンセントから充電器を介して充電されるようになっている。
【０００３】
近年、多くの携帯電話機にＴＶ受信機能が搭載され、この携帯電話機を用いて長時間ＴＶ視聴を行うようになってきている。ＴＶを視聴する際には多くの電気量を消耗するため、コンセントのある室内では卓上で充電しながらＴＶ視聴できるようにしたいというニーズがある。
【０００４】
そこで、例えば特許文献１の充電器は、二次電池を内蔵した携帯情報端末機を充電器の載置面に横置き保持し充電動作を行うようにしている。携帯情報端末機の充電端子に設けた凹面と充電器の電極端子に設けた凸部とがクリック係合して導電接触が行われるようにし、同時に充電器への装着状態において携帯情報端末機のアンテナを充電器のクランパに保持するようにし、充電端子にクリック機能を設けて電極端子に導電接触させることで充電状態を感覚的に知らせると共に、充電状態を安定して確実に保持するようにしている。
【０００５】
また、このような充電時の安全を確保する技術も知られている。例えば、特許文献２の充電器は、装着孔に携帯電子機器が装着された場合にこれを検知する検知手段と、この検知手段と連動し装着孔に携帯電子機器が装着された場合にだけその筐体内から装着孔へ突出する接続端子とを備え、誤ってこの装着孔に異物が差し込まれた場合に接続端子の変形やショートを起こさないようにしている。
【特許文献１】特開平１１−１１１３４４号公報
【特許文献２】特開２０００−１３４８０８号公報
【発明の開示】
【発明が解決しようとする課題】
【０００６】
しかしながら、従来の充電器では、携帯電話機を充電器に装着した場合、充電端子と接続端子とを確実に接続するためなどの理由で、携帯電話機の充電端子が設けられた側面と充電器の側面との間に隙間は殆どない。このため、上記特許文献２の充電器であっても、ＴＶ視聴中に卓上でジュースやコーヒーなどの液体がこぼれた場合、この接続端子周辺のわずかな隙間に毛細管現象により多量の液体が長時間溜まってしまい、ショートや腐食の原因になるという問題がある。
【０００７】
本発明は、かかる点に鑑みてなされたものであり、その目的とするところは、飲料水などの液体を充電中の携帯電子機器にこぼした場合でも、携帯電子機器と充電器との隙間に液体が溜まるのを防止して充電端子のショートや腐食を防止することにある。
【課題を解決するための手段】
【０００８】
上記の目的を達成するために、この発明では、毛細管現象が生じないように接続端子周辺の携帯電子機器と充電器との隙間を十分に確保するようにした。
【０００９】
具体的には、第１の発明では、充電池が内蔵された携帯電子機器を保持して充電する携帯電子機器用卓上充電器を前提とし、
上記携帯電子機器用卓上充電器は、
上記携帯電子機器の背面側が載置される載置面と、
上記載置面から突出し、携帯電子機器の側面に係合して該携帯電子機器を保持する複数の係止爪と、
上記載置面から膨出し、上記携帯電子機器の側面に設けた充電端子に接続される接続端子を内蔵する接続部とを備え、
上記接続部における上記接続端子側の表面には、上記携帯電子機器における上記充電端子の周辺表面と、該接続部の表面との間に隙間を形成するための突起部が形成されている。
【００１０】
上記の構成によると、携帯電子機器を充電するときには、携帯電子機器を載置面に載せ、係止爪で携帯電子機器の側面を保持しながら、接続部に内蔵した接続端子が充電端子に接続されて充電池の充電が行われる。このとき、接続部に設けた突起部により、携帯電子機器における充電端子の周辺表面と、接続部の表面との間に十分な隙間が形成されるので、充電中に飲料水などの液体をこぼしても毛細管現象が生じず、この隙間に長時間液体が溜まることはない。このため、充電端子がショートしたり、腐食したりするのが防止される。
【００１１】
第２の発明では、第１の発明において、
上記突起部は、上記接続端子の両側を囲むように形成されている。
【００１２】
上記の構成によると、接続端子の両側を囲むように形成した突起部により、携帯電子機器の側面がしっかりと保持されるので、接続端子と充電端子とが確実に接続されると共に、携帯電子機器の側面と接続部の表面とが多くとも突起部の部分でしか接触しないので、接続端子の周辺に液体が長く溜まって充電端子がショートしたり、腐食したりすることはない。
【００１３】
第３の発明では、第１又は第２の発明において、
上記載置面は横長の略矩形状であり、上記接続部は該載置面の幅方向の一端側に設けられている。
【００１４】
上記の構成によると、ＴＶ受信機能を有する携帯電子機器を充電しながらＴＶ視聴することが可能になるが、ＴＶ視聴中に飲料水などの液体をこぼしても、突起部の作用により充電端子がショートしたり、腐食したりするのが防止される。
【００１５】
第４の発明では、第３の発明において、
背面側に上記載置面を横長状態で斜めに起立させるための折り畳み可能な脚部が設けられている。
【００１６】
上記の構成によると、通常時は脚部を折り畳んで携帯電子機器を水平にして載置面に載せて充電するが、この脚部を起こして載置面を斜めに起立させることで、ＴＶ受信機能を有する携帯電子機器の表示部を見やすい角度に傾斜させて充電しながらのＴＶ視聴が行われる。このとき、突起部の作用により毛細管現象が生じず、液体が重力にしたがって下方へ流れ込み、接続端子の周辺には液体が溜まらないので、充電端子がショートしたり、腐食したりするのが防止される。
【００１７】
第５の発明では、第４の発明において、
上記接続部は、上記載置面を傾斜させた状態で下側に位置するように設けられている。
【００１８】
上記の構成によると、突起部の作用により載置面が斜めとなった場合に下側となる接続部と載置面との間の隅角部に液体が流れ込み、接続端子の周辺には液体が溜まらないので、充電端子がショートしたり、腐食したりするのが防止される。
【００１９】
第６の発明では、第５の発明において、
上記接続部における接続端子近傍の表面と上記載置面とで形成される隅角部には、排水用の貫通孔が設けられている。
【００２０】
上記の構成によると、卓上充電器に流れ込んだ飲料水などの液体は、突起部の作用により接続端子の周辺には溜まらず、重力にしたがって接続端子近傍の隅角部に流れ込むが、排水用の貫通孔から液体が排水されるので、充電端子がショートしたり、腐食したりするのが防止される。
【００２１】
第７の発明では、第６の発明において、
上記排水用の貫通孔は、上記接続端子の真下に設けられている。
【００２２】
上記の構成によると、接続端子周辺にかかった液体は、突起部の作用で重力にしたがって隅角部に流れ込んで貫通孔から排水されて接続端子周辺に溜まらないので、充電端子がショートしたり、腐食したりするのがさらに効果的に防止される。
【００２３】
第８の発明では、第４乃至第７のいずれか１つの発明において、
上記載置面には、上記携帯電子機器の背面に当接して該背面と載置面との間に隙間を形成するクッションが設けられている。
【００２４】
上記の構成によると、クッションにより、携帯電子機器が保護されると共に、携帯電子機器の背面と載置面との間にも十分な隙間が形成されるので、載置面を傾斜させた場合に液体が携帯電子機器の背面に溜まらず、充電端子がショートしたり、腐食したりするのがさらに効果的に防止される。
【発明の効果】
【００２５】
以上説明したように、本発明によれば、接続部における接続端子側の表面に突起部を設け、携帯電子機器における充電端子の周辺表面と接続部の表面との間に十分な隙間を形成するようにしたことにより、この隙間に液体が溜まるのを防止して充電端子のショートや腐食を防止することができる。
【発明を実施するための最良の形態】
【００２６】
以下、本発明の実施形態を図面に基づいて説明する。
【００２７】
図１〜図４に本発明の実施形態にかかる携帯電子機器用卓上充電器１０に折畳み式携帯電話機としての折り畳み式携帯電話機１が保持された様子を示す。例えば、この折畳み式携帯電話機１は、表面に表示部２を有する第１の筐体３と、表面に操作部４を有する第２の筐体５とを備えている。これら第１の筐体３と第２の筐体５とがヒンジ部６により、折り畳み可能に連結されている。図５に示すように、第２の筐体５の背面側には、電池蓋７ａが設けられ、この電池蓋７ａの内部に充電池７が内蔵されている。
【００２８】
図６に示すように、この第２の筐体５側の幅方向（左右方向）の側面５ａには、充電池７を充電するための一対の充電端子８（図５に示す）が設けられている。また、図７及び図８に示すように、第２の筐体５の長手方向（上下方向）の対向する側面５ｂには、それぞれ保持用凹部２９が凹陥されている。また、折畳み式携帯電話機１は、図１及び図２に二点鎖線で示すように、アンテナ９を立てた状態でＴＶ受信が可能となっている。
【００２９】
図９に示すように、携帯電子機器用卓上充電器１０には、折畳み式携帯電話機１の背面５ｃ側が載置される載置面１１が形成されている。載置面１１は左右に横長の略矩形状であり、この載置面１１の左端に上下に渡って第１保持部１２が、右端に上下に距離をあけて一対の第２保持部１３，１４がそれぞれ膨出して形成されている。第１保持部１２の上下中間には可動式第１係止爪１５が、上側の第２保持部１３には固定式第２係止爪１６が、下側の第２保持部１４には可動式第２係止爪１７がそれぞれ内側へ突出して形成されている。携帯電話機１を載置面１１に載せるときには、携帯電話機１の長手方向側面５ｂを係止爪１５，１６，１７に当接させながら押し込み、可動式第１係止爪１５及び可動式第２係止爪１７を押しのけた後、これらの係止爪１５，１６，１７に長手方向側面５ｂの保持用凹部２９がそれぞれ係合するようになっている。
【００３０】
載置面１１を傾斜させた状態の下側端部には、横長直方体状の接続部１８が膨出して形成されている。図１０及び図１１に示すように、この接続部１８の内部には、折畳み式携帯電話機１の充電端子８に接続される接続端子１９が内蔵されている。接続端子１９には、図示しない電源コードから電力が供給されるようになっている。一方、載置面１１の下側には、一対のレバー用開口２０（図９に示す）が形成されている。このレバー用開口２０内には、接続用レバー２１が内蔵され、その先端２１ａが露出している。接続用レバー２１は、破線で示す揺動軸２１ｂを中心に揺動可能に支持され、一対の接続端子１９は先端２１ａと反対側に延びている。接続部１８における接続端子１９側の上側表面１８ａには、一対の端子用開口２２が開口されている。接続端子１９は、折畳み式携帯電話機１が載置面１１に載置されたときに、この接続用レバー２１が揺動して端子用開口２２から接続端子１９が飛び出し、充電端子８に接続されるようになっている。
【００３１】
接続部１８の上側表面１８ａの端子用開口２２の左右両側には、充電端子８側へ突出する突起部２３が形成されている。突起部２３は、接続部１８の上側表面１８ａに突出した突条で構成されている。突起部２３は、載置面１１から直線状に連続して延び、折畳み式携帯電話機１における充電端子８の周辺表面と、この接続部１８の上側表面１８ａとの間に隙間Ｃ１を形成するようになっている。
【００３２】
図９に示すように、接続部１８の上側表面１８ａと載置面１１とで形成される隅角部２４における接続端子１９の真下には、排水用の貫通孔２５が設けられている。
【００３３】
図１２及び図１３に示すように、卓上充電器１０の背面側には、載置面１１を横長状態で斜めに起立させるための折り畳み可能な脚部２６が設けられている。
【００３４】
載置面１１のレバー用開口２０の左側には、縦長のクッション２７が貼り付けられている。このクッション２７は、折畳み式携帯電話機１の背面５ｃに当接して背面５ｃと載置面１１との間に隙間Ｃ２を形成するようになっている。
【００３５】
なお、卓上充電器１０の第１保持部１２側側面には、電源コードと接続するためのコード接続用端子２８が設けられている。
【００３６】
−作動−
次に、本実施形態にかかる携帯電子機器用卓上充電器１０の作動について説明する。
【００３７】
折畳み式携帯電話機１を充電するときには、折畳み式携帯電話機１を載置面１１に載せ、係止爪１５，１６，１７を折畳み式携帯電話機１の側面の保持用凹部２９に係合させて保持する。そして、図５に示すように、携帯電話機１の背面５ｃが接続用レバー２１の先端２１ａを押圧して接続用レバー２１が揺動し、接続端子１９が端子用開口２２から飛び出し、充電端子８に接続されて充電池７の充電が行われる。このとき、接続端子１９の両側から突出する突起部２３により、折畳み式携帯電話機１の幅方向側面５ａがしっかりと保持されるので、接続端子１９と充電端子８とが確実に接続される。
【００３８】
ＴＶ視聴を行わずに充電を行う場合には、脚部２６を折り畳んだまま折畳み式携帯電話機１を水平にして載置面１１に載せて充電する。
【００３９】
一方、ＴＶ視聴を行う場合には、図１２及び図１３に示すように、脚部２６を起こして載置面１１を斜めに起立させる。このことで、ＴＶ受信機能を有する折畳み式携帯電話機１の表示部２が見やすい角度に傾斜され、この状態でＴＶ視聴しながら充電を行う。このようなＴＶ視聴状態では、視聴者が誤って飲料水などの液体を充電器の上からこぼす可能性がある。このような場合、特に充電端子８が下側に位置するため、液体が充電端子８の周辺に長時間残留して携帯電話機１及び卓上充電器１０に悪影響を与えるおそれがある。アルカリ飲料やみそ汁などでは、その塩分などの含有物が与える影響が大きい。
【００４０】
しかしながら、本実施形態の卓上充電器１０は、接続部１８に突起部２３を有するので、折畳み式携帯電話機１における充電端子８の周辺表面と、接続部１８の上側表面１８ａとの間に十分な隙間Ｃ１が形成される。このとき、卓上充電器１０に流れ込んだ液体は、十分な隙間Ｃ１があるために毛細管現象は生じないので、接続端子１９の周辺には長時間溜まることはなく、重力にしたがって接続端子１９近傍の隅角部２４に流れ込む。この液体は、接続端子１９の真下の排水用の貫通孔２５から排水される。なお、突起部２３は表面側から見て隅角部２４まで連続して延びているので、突起部２３の左右外側から接続端子１９の周辺に液体が流れ込むことはない。このため、充電端子８がショートしたり、腐食したりするのが防止される。
【００４１】
また、クッション２７により、折畳み式携帯電話機１が保護されると共に、折畳み式携帯電話機１の背面５ｃと載置面１１との間にも十分な隙間Ｃ２が形成されるので、載置面１１を傾斜させた場合に液体が折畳み式携帯電話機１の背面５ｃに溜まらず、さらに効果的に充電端子８がショートしたり、腐食したりするのが防止される。
【００４２】
−実施形態の効果−
したがって、本実施形態にかかる携帯電子機器用卓上充電器１０によると、接続部１８における接続端子１９側の上側表面１８ａに突起部２３を設け、折畳み式携帯電話機１における充電端子８の周辺表面と接続部１８の上側表面１８ａとの間に十分な隙間Ｃ１を形成するようにしたことにより、この隙間Ｃ１に液体が溜まるのを防止して充電端子８のショートや腐食を防止することができる。
【００４３】
（その他の実施形態）
本発明は、実施形態について、以下のような構成としてもよい。
【００４４】
すなわち、実施形態では、突起部２３は、略矩形板状に突出する突条としたが、この形状に限定されず、半円柱状のものでも、半球状のものでもよい。
【００４５】
上記実施形態では、携帯電子機器は、折畳み式携帯電話機１とし、第１の筐体３（表示部２）は表裏回転できないものとしたが、ヒンジ部６に垂直な軸を中心に第１の筐体３が表裏回転可能なものとしてもよい。この場合には、第１の筐体３を表裏反転させた状態でヒンジ部６を中心に折り畳めば、表示部２を横長状態として卓上充電器１０に安定して載置可能となり、ＴＶ視聴が容易となる。
【００４６】
上記実施形態では、携帯電子機器は、携帯電話機１としたが、ＰＨＳ、ＰＤＡ、ＰＣ、モバイルツール、電子辞書、電卓、複写機等であってもよい。
【００４７】
なお、以上の実施形態は、本質的に好ましい例示であって、本発明、その適用物や用途の範囲を制限することを意図するものではない。
【図面の簡単な説明】
【００４８】
【図１】表示部を横長状態とした携帯電話機を載せて充電中の携帯電子機器用卓上充電器を上側から見た斜視図である。
【図２】表示部を横長状態とした携帯電話機を載せて充電中の携帯電子機器用卓上充電器を下側から見た斜視図である。
【図３】第１の筐体を省略した携帯電話機の接続端子が見える方向から見た斜視図である。
【図４】第１の筐体を省略した携帯電話機を載せて充電中の携帯電子機器用卓上充電器を示す平面図である。
【図５】図４のＶ−Ｖ線断面図である。
【図６】充電端子が見える方向から見た第２の筐体の斜視図である。
【図７】保持用凹部２９が見える方向から見た第２の筐体の斜視図である。
【図８】保持用凹部２９が見える方向から見た第２の筐体の斜視図である。
【図９】突起部及び排出用の貫通孔が見える方向から見た卓上充電器の斜視図である。
【図１０】携帯電話機を載置する前の接続用レバー及びその周辺を示す拡大断面図である。
【図１１】携帯電話機を載置した状態の接続用レバー及びその周辺を示す拡大断面図である。
【図１２】脚部を起立させた卓上充電器を背面側から見た斜視図である。
【図１３】脚部を起立させた卓上充電器の側面図である。
【符号の説明】
【００４９】
１      携帯電話機（携帯電子機器）
５ａ    幅方向側面
５ｂ    長手方向側面
５ｃ    背面
７      充電池
８      充電端子
１０      携帯電子機器用卓上充電器
１１      載置面
１５，１６，１７      係止爪
１８      接続部
１８ａ    上側表面
１９      接続端子
２３      突起部
２４      隅角部
２５      貫通孔
２６      脚部
２７      クッション
Ｃ１      隙間
Ｃ２      隙間
【図１】
2009183118.tif 000003
【図２】
2009183118.tif 000004
【図３】
2009183118.tif 000005
【図４】
2009183118.tif 000006
【図５】
2009183118.tif 000007
【図６】
2009183118.tif 000008
【図７】
2009183118.tif 000009
【図８】
2009183118.tif 000010
【図９】
2009183118.tif 000011
【図１０】
2009183118.tif 000012
【図１１】
2009183118.tif 000013
【図１２】
2009183118.tif 000014
【図１３】
2009183118.tif 000015